(57)【要約】【課題】装置を清潔に維持でき多色の画像も形成可能であり画像の形成と表示と消去を繰り返し行うことが出来る画像表示装置を提供する。【解決手段】上部搬送ローラ１９と下部搬送ローラ２１との間に扁平なループ状に掛け渡された無端ベルト１８が矢印ｂ方向に循環移動しながら表示面１８−１を形成する。無端ベルト１８の表面には気泡入りのマイクロカプセル２８とサーモクロミック材料２９とが積層されている。超音波ラインヘッド２５は画像情報に応じた所定の共振周波数の超音波を液状の伝播媒質２３を介して無端ベルト１８面に照射する。この照射を受けた位置のマイクロカプセル２８の内部気泡が振動し、この気泡振動の熱エネルギーで当該位置のサーモクロミック材料２９が発色して無端ベルト１８面に画像が形成され、表示部１７の透明窓を通して表示される。次の画像形成時には無端ベルト１８が冷却ファン２６によって冷却されて前の画像が消去される。【選択図】      図１
2005345926.tif 000002
【特許請求の範囲】
【請求項１】
集束された超音波に基いて発色する材料を担持する表示面を有する表示手段と、
該表示手段に画像情報に応じた集束された超音波を付与する画像情報付与手段と、
を備えることを特徴とする画像表示装置。
【請求項２】
画像情報付与手段により前記超音波を付与される前記表示手段の前記表示面は、
所定の共振周波数の超音波によって振動可能な気泡入りマイクロカプセルの層と、
該マイクロカプセルの振動による熱エネルギーに基づいて発色する発色剤層と、
を重ね合わせて備える無端ベルトで形成される、
ことを特徴とする請求項１記載の画像表示装置。
【請求項３】
前記画像情報付与手段は、画像情報に応じた所定の共振周波数の集束された超音波を前記無端ベルトの表示面に付与して前記画像情報に応じた画像を前記無端ベルトの表示面に発色させる超音波ラインヘッドであることを特徴とする請求項２記載の画像表示装置。
【請求項４】
画像情報付与手段により前記超音波を付与される前記表示手段の前記表示面は、
所定の共振周波数の超音波によって振動可能な気泡入りマイクロカプセルで形成される文字又は画像を含む層と、
該マイクロカプセルの振動による熱エネルギーに基づいて発色する発色剤層と、
を重ね合わせて備えるカード部材である、
ことを特徴とする請求項１記載の画像表示方法。
【請求項５】
前記画像情報付与手段は、所定の共振周波数の超音波を前記カード部材の表示面に付与して前記所定の共振周波数の超音波に応じた画像を前記カード部材の表示面に発色させる超音波照射装置であることを特徴とする請求項４記載の画像表示装置。
【発明の詳細な説明】
【技術分野】
【０００１】
本発明は、画像表示部材に画像の形成と表示と消去を繰り返し行うことが出来る画像表示装置に関する。
【背景技術】
【０００２】
従来、例えばホテル、病院、銀行、役所等の公共の待合ロビー等に配置され、文字を含む種々の画像情報を可視像化して表示する衝立式の画像表示装置がある。一般的には、予め長尺の巻紙に面順次に形成した画像情報を表示部に一定時間間隔で順次送り出す方式のものや、やや高度なものでは予めフィルムに形成した画像情報を投影装置を用いて表示するものが多い。いずれも、画像情報は予め形成されている。
【０００３】
これに対して、リアルタイムで入力される画像情報に基づいて、画像表示部材に画像の形成と表示と消去を繰り返し行うことが出来る画像表示装置が知られている。
図１０は、そのような画像表示装置の例を示す側断面図である。この画像表示装置１は、側断面が縦長のハウジング２を有し、前面（図の右方の面）のほぼ全面が開口に透明板が装着された表示部３となっている。
【０００４】
ハウジング２の内部には、搬送ローラ４と５との間に掛け回され、表示部３に対し平行して平面状に支持された無端ベルト状の画像表示部材６を備えている。この画像表示部材６は、矢印ａで示すように下から上に搬送される。
【０００５】
そして、ハウジング２の内部下方には、画像形成部７が配置されている。画像形成部７は、トナー８を収納したトナー受け皿９と、そのトナー８を画像情報に応じて画像表示部材６に付着させて画像を形成する記録電極１１、この記録電極１１にトナー８を回転搬送する非磁性円筒１２、この非磁性円筒１２に回転搬送されるトナー８の層厚を規制するトナー規制板１３、非磁性円筒１２の内部円周面に沿って配置され、形成されたトナー画像を消去するための磁石１４等を備えている。
【０００６】
この画像形成部７により画像表示部材６に形成されたトナー画像は、画像表示部材６の搬送に伴われて下から上に順次移動し、トナー画像の先頭位置がセンサ１０で検出されたところで、画像表示部材６が所定の時間停止する。これにより、形成されたトナー画像が表示部３の透明板を透して人々に読み取られる。
【０００７】
新しい画像情報が不図示の制御部に入力されると、搬送ローラ４と５が駆動され。画像表示部材６が循環移動して、旧いトナー画像が除去され、新しい画像情報に基づくトナー画像が形成される。（例えば、特許文献１参照。）
【特許文献１】特開平０５−１８１３９１号公報（段落［０００４］〜［０００７］、図１０）
【発明の開示】
【発明が解決しようとする課題】
【０００８】
ところで、上記特許文献１の技術は、トナーを用いて画像表示部材に画像を形成しているため、装置内部がトナーで汚れ易いという問題を有している。また、単色の画像しか形成できないという不満が残るものであった。
【０００９】
本発明の課題は、上記従来の実情に鑑み、装置が汚れることなく、多色の画像も形成可能であり、画像の形成と表示と消去を繰り返し行うことが出来る画像表示装置を提供することである。
【課題を解決するための手段】
【００１０】
本発明の画像表示装置は、集束された超音波に基いて発色する材料を担持する表示面を有する表示手段と、該表示手段に画像情報に応じた集束された超音波を付与する画像情報付与手段と、を備えて構成される。
【００１１】
この画像表示装置において、例えば、画像情報付与手段により上記超音波を付与される上記表示手段の上記表示面は、所定の共振周波数の超音波によって振動可能な気泡入りマイクロカプセルの層と、該マイクロカプセルの振動による熱エネルギーに基づいて発色する発色剤層と、を重ね合わせて備える無端ベルトで形成される。
【００１２】
この場合、上記画像情報付与手段は、画像情報に応じた所定の共振周波数の集束された超音波を上記無端ベルトの表示面に付与して上記画像情報に応じた画像を上記無端ベルトの表示面に発色させる超音波ラインヘッドで構成されることが好ましい。
【００１３】
また、画像表示装置は、例えば、画像情報付与手段により上記超音波を付与される上記表示手段の上記表示面は、所定の共振周波数の超音波によって振動可能な気泡入りマイクロカプセルで形成される文字又は画像を含む層と、該マイクロカプセルの振動による熱エネルギーに基づいて発色する発色剤層と、を重ね合わせて備えるカード部材であっても良い。
【００１４】
この場合、上記画像情報付与手段は、所定の共振周波数の超音波を上記カード部材の表示面に付与して上記所定の共振周波数の超音波に応じた画像を上記カード部材の表示面に発色させる超音波照射装置であることが好ましい。
【発明の効果】
【００１５】
本発明によれば、装置が汚れることなく、多色の画像を形成でき画像の形成と表示と消去を繰り返し行うことが出来る画像表示装置を提供することが可能となる。
【発明を実施するための最良の形態】
【００１６】
以下、本発明の実施の形態を図面を参照しながら説明する。
（実施形態１）
図１は、一実施の形態における画像表示装置の構成を示す模式的断面図である。同図に示す画像表示装置１５は、側断面が縦長のハウジング１６の前面（図の右方の面）のほぼ全領域に、透明板が装着された表示部１７が形成されている。
【００１７】
ハウジング１６の内部には、表示手段としての無端ベルト１８が、上部搬送ローラ１９と下部搬送ローラ２１との間に扁平なループ状に掛け渡されている。無端ベルト１８は、上部搬送ローラ１９及び下部搬送ローラ２１により駆動されて、図の矢印ｂで示す時計回り方向に循環移動しながら、表示部１７に平行する表示面１８−１を形成する。
【００１８】
ハウジング２の内部下方には、画像情報付与手段としての画像形成部２２が配置されている。画像形成部２２は、液状の伝播媒質２３を収容した媒質容器２４と、この媒質容器２４内に保持されて下部搬送ローラ２１の下面に近接して対向する超音波ラインヘッド２５を備えている。また、ハウジング１６の内部上方には、上部搬送ローラ１９に近接して、冷却用ファン２６が配置されている。
【００１９】
図２(a),(b) は、上記無端ベルト１８の構成を説明する図であり、同図(c) は、その機能を説明する図である。同図(a) に示すように、無端ベルト１８のベルト基材２７の表面には全面に詳しくは後述する気泡入りのマイクロカプセル２８の層が形成され、更に、そのマイクロカプセル２８の層の上に、同図(b) に示すように、サーモクロミック材料２９の層が形成されて、表示面が構成されている。
【００２０】
尚、サーモクロミック材料２９の層は、サーモクロミック材料２９と糊剤を混合したものを塗布してもよく、またサーモクロミック材料層を積層するようにしてもよい。
このように構成された表示面は、所定の共振周波数の集束された超音波３０が、例えば英文字のＡを描くように照射されると、その超音波３０の照射を受けたマイクロカプセル２８が発熱し、その発熱により、発熱したマイクロカプセル２８に対応する位置のサーモクロミック材料２９が発色して、同図(c) に示すように、英文字Ａの画像が表示面に形成される。
【００２１】
図３(a),(b) は、上記の画像表示装置１５の無端ベルト１８に用いられるマイクロカプセル２８の製造工程中において生成される油滴粒と最終的に形成されるマイクロカプセル２８を、それぞれ模式的に示す図である。以下、マイクロカプセル２８の製造方法を簡単に説明する。
【００２２】
先ず、高沸点溶媒のフェニルキシリルエタン（沸点２９５〜３０５℃、日本石油化学製ＳＡＳ−２９６）による透明の高沸点オイルを作製する。
次に、この高沸点オイルと、気泡剤として中沸点溶剤のｐ−キシレン（沸点１３８℃）と、壁材としてトリレジンイソシアネート／トリメチロールプロパン付加物（日本ポリウレタン工業製コロネートＬ）と、更に同じく壁材としてジフェニルメタン−４，４−ジイソシアネート（日本ポリウレタン工業製ミリオネートＭＲ−２００）とを撹拌して均一に混合させ、芯物質の混合油液を作製する。
【００２３】
続いて、ポリビニルアルコール（重合度１７００、けん化度８８％、クラレ製ＰＶＡ２１７）を水に溶解させた分散安定剤を作製する。
そして、この分散安定剤に上記の芯物質混合油液を滴下しながら、ホモジナイザー（homogenizer:乳剤機、ＩＫＡ社製ウルトラ・タラックスＴ２５ベーシック ）により、上記の芯物質混合油滴が所望の粒径になるように撹拌する。
【００２４】
この撹拌による芯物質混合油滴の所望の粒径は、例えば１μｍφ〜２０μｍφの間で任意に形成することができる。ここで例えば芯物質混合油滴の粒径を１５μｍとすると、上記の撹拌で、粒径を１５μｍの芯物質混合油滴のＯ／Ｗ（Oil/Water）のエマルジョンが作製される。
【００２５】
次に、このＯ／Ｗエマルジョンを通常の羽付撹拌装置で撹拌しながら、壁反応剤としてのテトラエチレンペンタミン水溶液を滴下していく。この滴下が終了したならば、７０℃の水槽で温度を保ち、撹拌を続けて３時間反応させる。
【００２６】
これにより、芯物質混合油滴との界面で、上記の壁材と壁反応剤による界面重合反応が行われ、保護外壁としての粒径１５μｍのカプセル壁が生成される。こうして得られた粒径１５μｍのマイクロカプセルは、光学顕微鏡で観察したところ球状で芯が液体のマイクロカプセルとなった。
【００２７】
この後、デカンテーション（decantation：固形物を沈降させた後上澄み液だけを流し去る操作 ）により水とマイクロカプセルを分離して水を捨て、多量の水で洗浄する作業を繰り返した後、遠心分離機を用いてマイクロカプセルを沈降させて濃厚分散液を得、この濃厚分散液を凍結乾燥装置に入れて液を凍らせてから水分を気化させて乾燥し、マイクロカプセル粉末を得た。この段階では、図２(a) に示すように、マイクロカプセル内に気泡剤を含んではいるが気泡はまだ出来でいない。
【００２８】
上記の図２(a) は、界面重合反応によって生成されたカプセル壁（保護外壁）と、中沸点の気泡剤が揮発するときの様子を示している。図２(a) に示すように、分散油滴３１は、高沸点オイルと壁剤とが混合された永久芯物質３２と、中沸点の気泡剤からなる一時芯物質３３とからなり、周囲を取り囲む分散安定剤３４に滴下混合された壁反応剤３５との界面重合反応によりカプセル壁（保護外壁）３６が形成されている。
【００２９】
続いて、上記のマイクロカプセル粉末を、真空乾燥機に入れ、温度１２０℃の状態で２４時間保持して、図２(a) の矢印ｃに示すように、ｐ−キシレンを揮発させ、液体相の高沸点オイルと、揮発したｐ−キシレンと入れ替わった外気からなる気体相とを含んだ含気泡型の高沸点オイルを内包するマイクロカプセルを得る。すなわち、図２(b) に示すように、カプセル壁（保護外壁）３６に囲繞された液体相の高沸点オイル３８と、揮発した一時芯物質３３と入れ替わった気体相の外気３９とを含む含気泡型の高沸点オイルを内包するマイクロカプセル２８が得られる。
【００３０】
そして、このまま冷却したのでは粒子の形状が変形する虞があるので、更に上記に続けて真空乾燥機の降温温度と気圧と保持時間とを制御しながら徐々に冷却して、形状の安定した最終的なマイクロカプセル２８を得る。
【００３１】
この気泡入りのマイクロカプセル２８は、所定の共振周波数を有する超音波の照射によって気泡が振動し、この気泡の振動によって熱を発生する。この発生する熱量は、マイクロカプセル２８の大きさ及び気泡の大きさによって異なる。
【００３２】
したがって、前述したように、１μｍφ〜２０μｍφの間で適宜の大きさのマイクロカプセルを作製して、その共振周波数の超音波を照射することにより所望の発熱量を得ることができる。
【００３３】
図４は、本例の画像表示装置１５の画像形成部２２の拡大断面図である。尚、同図には図１に示した構成と同一の構成部分には図１と同一の番号を付与して示している。図４に示すように、画像形成部２２において、超音波ラインヘッド２５は、配線用フレキシブル基板４１により図外の制御部に接続され、シール部材４２を介して媒質容器２４の底部に保持され、伝播媒質２３内に埋没して、その凹面の超音波照射部４３が、同じく伝播媒質２３の上部に没入するように配置されている下部搬送ローラ２１の下面に近接して対向するように配置されている。
【００３４】
上記の超音波ラインヘッド２５の凹面の音波照射部４３から図２(c) に示したように照射される超音波３０は、図４に示す液状の伝播媒質２３により効率よく無端ベルト１８の表示面に伝達され、マイクロカプセル２８を発熱させ、図２(c) に示したようにサーモクロミック材料２９を発色させることができる。
【００３５】
図５は、下部搬送ローラ２１と超音波ラインヘッド２５の長手方向の画像形成領域における相関を示す図である。同図に示すように、下部搬送ローラ２１における画像形成領域ａに対して、超音波ラインヘッド２５の超音波照射部４３の凹面領域ｂの方が領域ｃだけ長く形成されている。
【００３６】
図６(a) は、上記の超音波３０を発振する超音波ラインヘッド２５の外観斜視図であり、同図(b) はその平面図である。同図(a) に示す超音波ラインヘッド２５は、同図(b) に示すように、その長手方向（主走査方向）に超音波素子が形成されている。
【００３７】
すなわち、同図(b) には、担持体４４内に、共通電極（アース）と個別印加電極とにより上下（図６(b) では紙面奥行き方向）から挟まれて、主走査方向に短冊状に並んだ圧電素子である超音波素子４５が配設されている。各超音波素子４５からは個別配線４６が外部に引き出され、図４に示した配線用フレキシブル基板４１に接続されている。
【００３８】
上記個別印加電極と共通電極によって前述の所望のマイクロカプセルの気泡を振動させ、発熱させる超音波を発振するための超音波出力信号が供給される。超音波素子４５は上記信号が印加されると歪みを生じ、所定の周波数で超音波振動が励起される。
【００３９】
一般に、マイクロカプセル２８が配置されている指定位置に画素サイズの超音波ビームを集束させるためには超音波素子４５を微細なサイズに加工することが困難であることと前述のマイクロカプセル２８の気泡を振動させるために必要な超音波の音圧を１個の超音波素子４５で得ることが困難であることから、主走査方向及び副走査方向に複数からなる超音波素子４５の超音波ビームを集束させることによって指定位置に画素サイズの超音波ビームを集束させるようにする。
【００４０】
図７(a),(b),(c) は、上記の超音波ラインヘッド２５の動作状態を示す図である。図７(a),(b) は、図６(b) のＡ−Ａ´断面矢視図を簡略に示している。図７(a) に示すように、個々の超音波素子４５は、その長手方向（超音波ラインヘッド２５全体のＹ方向）中央部が所定の曲率からなる凹面形状をなし、超音波ラインヘッド２５の長手方向（主走査方向つまりＸ方向つまり紙面奥行き方向）に配列されている。
【００４１】
図７(b) は、この超音波素子４５からの超音波３０の照射状態を示している。超音波素子４５が上記のようにＹ方向中央部が凹面形状をなすことにより、この超音波素子４５から照射される超音波３０は、図７(a),(b) に示すように、Ｙ方向の一点４７に集束される。そして、Ｘ方向については、以下に説明するように複数の超音波素子４５から照射される超音波３０を一点に集束させるようにする。
【００４２】
図７(c) は、主走査方向（Ｘ方向）に配設された超音波素子４５と、これらの超音波素子４５から出力される超音波の集束位置の関係を示す図である。尚、同図においては説明上、超音波素子４５には紙面の左側から素子番号１、２、３、・・・が付与されている。また、同図に示す集束位置には、画素番号（例えば、１〜７１６８）が付与されている。また、上記の集束位置は、例えば図４において、下部搬送ローラ２１により回転搬送される無端ベルト１８の表示面が超音波ラインヘッド２５と対峙する位置である。
【００４３】
図８は、上記超音波素子４５の配設構成の一部を拡大して示す図であり、例えば超音波素子「１」〜「６」までを拡大して示している。互いに隣り合う超音波素子４５は間隔ｄを有して配設されており、同時にｍ個の超音波素子４５が時間遅延しながら駆動される。例えば、同図に示すＡ点について考えると、同時にｍ個（例えば５個）の超音波素子４５を時間遅延させて５個の超音波素子４５の中心（Ａ点）に強力な超音波をあてる。例えば、「１」の超音波素子４５とＡ点の距離、「２」の超音波素子４５とＡ点の距離、「３」の超音波素子４５とＡ点の距離は少しずつ異なり、この距離差と超音波の伝搬速度から各超音波素子４５の出力タイミングをずらし、所定のタイミングで超音波出力を行う。このように制御することにより、同時にＡ点に強力な超音波を照射することができる。
【００４４】
また、上記Ａ点に限らず、超音波素子４５からの超音波出力のタイミングを調整することによって、超音波素子４５の配設ピッチより狭い位置（例えば、１/２ｄの位置、Ｂ点）に同時にｍ個（例えば６個）の超音波素子４５から出力された超音波ビームを集束させることもできる。したがって、例えば１画素間隔で（ピッチｄで）超音波ビームの集束位置を主走査方向にずらして制御することによって、１画素間隔で前述のマイクロカプセル２８に対して強力な超音波ビームを集束することができ、内部の気泡３９（図３参照）を振動させ、この気泡振動の熱エネルギーにより、所望の位置のサーモクロミック材料２９の発色を１画素間隔で行うことができる。
【００４５】
サーモクロミック材料２９の発色は暫くの間は継続するので、図１に示した表示面１８−１には、上記のようにして形成された画像が見えている。そして、次の画像形成時に無端ベルト１８が循環移動駆動される際に、冷却ファン２６によって表示面が冷却されることにより、前回形成された画像は表示面から完全に消失する。
【００４６】
このように、本発明の画像表示装置１５は、画像表示部材である無端ベルトに画像の形成と表示と消去を繰り返し行うことが出来る。
尚、上記実施の形態では、１色の発色で説明したが、気泡入りマイクロカプセルの振動は気泡の大きさで共振が異なるので、前述したようにマイクロカプセルの大きさ及び内部の気泡の大きさの異なるものを３種類作製し、これらと対応する３種類のサーモクロミック材料として３原色を発色する材料のサーモクロミック材料を上記の各マイクロカプセルと組み合わせて、表示層を無端ベルト面に作成する。
【００４７】
そして、共振周波数の異なる３種類の超音波を選択的に照射することにより、前述した画素位置の選択に加えて３種類のマイクロカプセルを選択的に共振させ、これによって、３原色を発色するサーモクロミック材料を選択的に発色させてフルカラーの画像を形成して表示を行うことができる。
【００４８】
図９(a),(b) は他の実施形態を説明する図である。同図(a) は、基材４８の上にマイクロカプセル２８を英文字のＡの形に並べて配置したものである。この上にサーモクロミック材料を塗布又は積層して、全体を例えばカード状に形成する。このカードは、平常時は無地であり、超音波の照射圏内に入れることにより文字「Ａ」の形が発色する。
【００４９】
また、同図(b) は、粒子の大きさ及び内部の気泡の大きさが異なる３種類のマイクロカプセル２８（２８ａ、２８ｂ、２８ｃ）を別個に並べて配置したものである。この上にサーモクロミック材料を塗布又は積層して、この場合も全体を例えばカード状に形成する。このカードは、平常時は無地であり、超音波の照射圏内に入れることにより、照射される超音波の共振周波数に応じて、マイクロカプセル２８ａの配置部分、マイクロカプセル２８ｂの配置部分、又はマイクロカプセル２８ｃの配置部分のサーモクロミック材料が発色する。
【００５０】
図９(b) に示す例では、３種類のマイクロカプセル２８の配置を単純に並べて配置しているが、それぞれ文字や模様を形成するように配置してもよいことは言うまでもない。また、３種類のマイクロカプセル２８の上に塗布又は積層されるサーモクロミック材料は同一の色を発色するものでも良く、また、それぞれ異なる色を発色するものでもよい。
【００５１】
図９(a),(b) に示すカードは、会社などのセキュリティ用として、例えばマイクロカプセル２８を社員の名前やＩＤを表すように配置し、入退出時の出入り口に超音波照射装置を配置し、カードによって本人確認を行うような用途に使用することもできる。
【図面の簡単な説明】
【００５２】
【図１】一実施の形態における画像表示装置の構成を示す模式的断面図である。
【図２】(a),(b) は画像表示装置の無端ベルトの構成を説明する図、(c) はその機能を説明する図である。
【図３】(a),(b) は画像表示装置の無端ベルトに用いられるマイクロカプセルの製造工程中において生成される油滴粒と最終的に形成されるマイクロカプセルをそれぞれ模式的に示す図である。
【図４】画像表示装置の画像形成部の拡大断面図である。
【図５】画像形成部における下部搬送ローラと超音波ラインヘッドの長手方向の画像形成領域における相関を示す図である。
【図６】超音波を発振する超音波ラインヘッドの外観斜視図、(b) はその平面図である。
【図７】(a),(b),(c) は超音波ラインヘッドの動作状態を示す図である。
【図８】超音波ラインヘッドの超音波素子の配設構成の一部を拡大して示す図である。
【図９】(a),(b) は他の実施形態を説明する図である。
【図１０】従来の画像表示部材に画像の形成と表示と消去を繰り返し行うことが出来る画像表示装置の例を示す側断面図である。
【符号の説明】
【００５３】
１      画像表示装置
２      ハウジング
３      表示部
４、５  搬送ローラ
６      画像表示部材
７      画像形成部
８      トナー
９      トナー受け皿
１０    センサ
１１    記録電極
１２    非磁性円筒
１３    トナー規制板
１４    磁石
１５    画像表示装置
１６    ハウジング
１７    表示部
１８    無端ベルト
１８−１  表示面
１９    上部搬送ローラ
２１    下部搬送ローラ
２２    画像形成部
２３    伝播媒質
２５    超音波ラインヘッド
２６    冷却用ファン
２７    ベルト基材
２８（２８ａ、２８ｂ、２８ｃ）  マイクロカプセル
２９    サーモクロミック材料
３０    超音波
３１    分散油滴
３２    永久芯物質
３３    一時芯物質
３４    分散安定剤
３５    壁反応剤
３６    カプセル壁（保護外壁）
３８    高沸点オイル
３９    外気
４１    配線用フレキシブル基板
４２    シール部材
４３    超音波照射部
４４    担持体
４５    超音波素子
４６    個別配線
４７    Ｙ方向の一点
【図１】
2005345926.tif 000003
【図３】
2005345926.tif 000004
【図４】
2005345926.tif 000005
【図５】
2005345926.tif 000006
【図７】
2005345926.tif 000007
【図８】
2005345926.tif 000008
【図１０】
2005345926.tif 000009
【図２】
2005345926.tif 000010
【図６】
2005345926.tif 000011
【図９】
2005345926.tif 000012